(57)【要約】【課題】売り場に陳列された計量対象となる商品の種類が多くても計量の際に操作性良く商品の選択操作を行うことができるようにする。【解決手段】客が売り場の商品を取ってタグ装置を操作すると、タグ装置からその商品のＰＬＵコードが計量装置へ送信される。タグ装置は各商品に対応して設けられている。計量装置はこのＰＬＵコードを受信してカウンタ値（商品毎に設けられる）を１だけカウントアップし、液晶タッチパネルにＰＬＵコードと対応した商品のアイコンを表示する。ＰＬＵコードが受信される度に、カウンタ値をカウントアップする。計量後、計量装置はラベルを発行するとともに、カウンタ値を１だけカウントダウンする。カウンタ値が０にならなければ、そのカウンタに対応するアイコンは表示されたままとし、カウンタ値が０になると、アイコンを消去する。【選択図】図８
2008197802.tif 000002
【特許請求の範囲】
【請求項１】
売り場に陳列された商品の種類毎に設けられ、客によって操作されると該商品を指示する指示情報を送信する端末装置と、
前記各商品の計量を行う計量装置と、を有し、
前記計量装置は、
前記各商品に関する商品情報を記憶する記憶手段と、
前記端末装置から送信される前記指示情報を受信する受信手段と、
前記受信した指示情報により指示される商品の商品情報を選択するための商品選択関連情報を表示する表示手段と、
載置された商品の重量を計量する計量手段と、
客により指定された前記商品選択関連情報に従って前記記憶手段から商品情報を読み出し、該読み出した商品情報と前記計量された重量値とに基づいてラベルを発行するラベル発行手段と、
商品毎に前記指示情報を受信した回数をカウンタ値として記憶し、該商品について前記ラベルが発行されると対応する前記カウンタ値を１減算し、カウンタ値が０になると前記表示手段から対応する前記商品選択関連情報を消去する制御手段と、
を備えたことを特徴とする商品販売システム。
【請求項２】
前記端末装置は、客によって操作されたことを所定時間報知する報知手段を備えることを特徴とする請求項１に記載の商品販売システム。
【請求項３】
前記表示手段に表示された商品選択関連情報が所定時間の間に指定されない場合に、該商品選択関連情報を前記表示手段から消去することを特徴とする請求項１または請求項２に記載の商品販売システム。
【請求項４】
前記商品情報は、個数売り商品について、商品１個当りの重量値と、所定個数まとめ買いした場合の値引情報とを含み、
前記計量装置は、前記計量手段によって計量された重量値と前記商品１個当りの重量値とに基づいて商品の個数を算出し、前記値引情報に従って前記ラベルを発行する
ことを特徴とする請求項１から請求項３のいずれかの項に記載の商品販売システム。
【請求項５】
前記計量装置は、
文字入力手段と、
前記文字入力手段によって入力された文字を含む商品名の商品を検索する検索手段と、をさらに備え、
前記検索された商品の商品選択関連情報を前記表示手段に表示する
ことを特徴とする請求項１から請求項４のいずれかの項に記載の商品販売システム。
【請求項６】
前記ラベル発行手段により発行されたラベルを客の操作によって読み取って商品登録を行う商品登録装置をさらに有する
ことを特徴とする請求項１から請求項５のいずれかの項に記載の商品販売システム。
【請求項７】
売り場に陳列された商品の種類毎に設けられ、操作されると該商品を指示する指示情報を送信する端末装置と、
前記各商品の計量および商品登録を行う計量装置と、を有し、
前記計量装置は、
前記各商品に関する商品情報を記憶する記憶手段と、
前記端末装置から送信される前記指示情報を受信する受信手段と、
前記受信した指示情報により指示される商品の商品情報を選択するための商品選択関連情報を表示する表示手段と、
載置された商品の重量を計量する計量手段と、
客により指定された前記商品選択関連情報に従って前記記憶手段から商品情報を読み出し、該読み出した商品情報と前記計量された重量値とに基づいて商品登録を行う商品登録手段と、
前記商品登録された１または複数の商品についてのレシートを発行するレシート発行手段と、
商品毎に前記指示情報を受信した回数をカウンタ値として記憶し、該商品について前記ラベルが発行されると対応する前記カウンタ値を１減算し、カウンタ値が０になると前記表示手段から対応する前記商品選択関連情報を消去する制御手段と、
を備えたことを特徴とする商品販売システム。
【請求項８】
商品の計量を行う計量装置であって、
商品に関する商品情報を記憶する記憶手段と、
売り場に陳列された商品の種類毎に設けられた端末装置から送信される商品を指示する指示情報を受信する受信手段と、
前記受信した指示情報により指示される商品の商品情報を選択するための商品選択関連情報を表示する表示手段と、
載置された商品の重量を計量する計量手段と、
指定された前記商品選択関連情報に従って前記記憶手段から商品情報を読み出し、該読み出した商品情報と前記計量された重量値とを記録する記録手段と、
商品毎に前記指示情報を受信した回数をカウンタ値として記憶し、該商品について前記記録がなされると対応する前記カウンタ値を１減算し、カウンタ値が０になると前記表示手段から対応する前記商品選択関連情報を消去する制御手段と、
を備えたことを特徴とする計量装置。
【発明の詳細な説明】
【技術分野】
【０００１】
本発明は商品販売システムおよび計量装置に関し、特に売り場の商品を計量して販売する商品販売システムおよび計量装置に関する。
【背景技術】
【０００２】
主に欧米等のスーパーマーケットでは、野菜や果物などの生鮮食品が種類毎に区分けされて山積みの状態で売り場に陳列されている。１つ１つの商品には値段やバーコードを印字したラベルは貼付されておらず、客は必要分の商品を備え付けのビニール袋に入れて、レジに持って行く。レジでは、袋ごと秤で計量して、レジに設けられているプリセットキーを操作することにより当該商品の単価データを呼び出し、その単価と計量結果の重量値とを乗算するなどして値段を算出し、商品登録を行う。
【０００３】
また、商品陳列場（売り場）に値付け装置を配置し、客自身が購入しようとする計量商品の重量をこの値付け装置で計量してラベルを発行するようにした商品販売システムが提案されている（特許文献１参照）。
【特許文献１】特許第２９８３６０５号公報
【発明の開示】
【発明が解決しようとする課題】
【０００４】
ところで、従来、プリセットキーを用いて商品を選択するという方式においては、装置の画面の広さ等の制約から一度に表示できるプリセットキーの数には限りがあり、販売される商品の種類が数百程度になると、商品を例えば階層構造に分類してプリセットキーに割り当てる必要がある。そのため、目的の商品に辿り着くまでに何回も（例えば３〜４回）プリセットキーを選択するという操作をしなければならず、操作に時間がかかり、また面倒であるという問題がある。したがって、上記のようにレジ等で多様な商品の計量を行って商品登録やラベル発行を行うことは、操作性の面から問題があり、実用的ではなかった。
【０００５】
また、今後はセルフレジと呼ばれる客自身が商品登録の操作までを行うタイプのレジが普及すると見込まれているが、セルフレジを用いる場合には、客が上記のように煩雑なプリセットキーの操作をするので目的のプリセットキーを見付けられず、混乱してしまう虞がある。
【０００６】
本発明は上記の点に鑑みてなされたものであり、その目的は、売り場に陳列された計量対象となる商品の種類が多くても計量の際に操作性良く商品の選択操作を行うことが可能な商品販売システムおよび計量装置を提供することにある。
【課題を解決するための手段】
【０００７】
本発明は上記の課題を解決するためになされたものであり、売り場に陳列された商品の種類毎に設けられ、客によって操作されると該商品を指示する指示情報を送信する端末装置と、前記各商品の計量を行う計量装置と、を有し、前記計量装置は、前記各商品に関する商品情報を記憶する記憶手段と、前記端末装置から送信される前記指示情報を受信する受信手段と、前記受信した指示情報により指示される商品の商品情報を選択するための商品選択関連情報を表示する表示手段と、載置された商品の重量を計量する計量手段と、客により指定された前記商品選択関連情報に従って前記記憶手段から商品情報を読み出し、該読み出した商品情報と前記計量された重量値とに基づいてラベルを発行するラベル発行手段と、商品毎に前記指示情報を受信した回数をカウンタ値として記憶し、該商品について前記ラベルが発行されると対応する前記カウンタ値を１減算し、カウンタ値が０になると前記表示手段から対応する前記商品選択関連情報を消去する制御手段と、を備えたことを特徴とする商品販売システムを提供する。
【０００８】
この発明において、客が売り場の商品を取るとともに端末装置を操作すると、端末装置からその商品の指示情報（例えばＰＬＵコード等）が計量装置へ送信される。端末装置は各商品に対応して設けられている。計量装置はこの指示情報を受信してカウンタ値（商品毎に設けられる）を１だけカウントアップし、また表示手段に該指示情報と対応した商品選択関連情報（例えば商品のアイコン）を表示する。当該商品の指示情報が受信される度に、カウンタ値がカウントアップしていく。客が購入しようとして取った商品の商品選択関連情報が計量装置に表示されているので、客は表示されている商品選択関連情報のうち自分の商品に該当するものを選択して、当該商品の計量をすることができる。計量後、計量装置はラベルを発行するとともに、カウンタ値を１だけカウントダウンする。カウンタ値が０にならなければ、商品選択関連情報は表示されたままであり、カウンタ値が０になると、商品選択関連情報は消去される。
【０００９】
したがって、この発明によれば、計量装置は受信した指示情報に従って商品選択関連情報を表示し、また表示されるのは客が操作した端末装置に対応する商品の商品選択関連情報のみであるので、商品の種類が多くても、表示された商品選択関連情報の中から容易に目的のものを探し出すことができる。
また、複数の客によって端末装置が複数回操作される等した場合は、カウンタ値が０になるまで商品選択関連情報は表示され続けるので、商品の計量を行う際、当該複数の客全員が、表示された商品選択関連情報から目的のものを見つけることができる。よって、多数の客が同じ商品を購入して計量装置を使用する場合でも、全ての客が同様の操作性を享受することができる。さらに、同じ端末装置が操作された場合に同一の商品選択関連情報を複数表示するよりも、同時に表示可能な商品選択関連情報の種類を多くできる。
また、端末装置は商品の種類毎に設けられているので、端末装置に対して商品を選択するための操作は不要である。よって、客が売り場で商品を取る際の操作量を軽減することができる。
【００１０】
本発明はまた、上記商品販売システムにおいて、前記端末装置は、客によって操作されたことを所定時間報知する報知手段を備えることを特徴とする。
【００１１】
この発明によれば、端末装置を操作した客は操作が正しく行われたことを知ることができる。
【００１２】
本発明はまた、上記商品販売システムにおいて、前記表示手段に表示された商品選択関連情報が所定時間の間に指定されない場合に、該商品選択関連情報を前記表示手段から消去することを特徴とする。
【００１３】
この発明によれば、例えば端末装置が誤って操作された場合など、計量装置での商品選択関連情報の表示が不要になったときはその商品選択関連情報が消去されるので、必要な商品選択関連情報のみを表示しておくようにすることができる。
【００１４】
本発明はまた、上記商品販売システムにおいて、前記商品情報は、個数売り商品について、商品１個当りの重量値と、所定個数まとめ買いした場合の値引情報とを含み、前記計量装置は、前記計量手段によって計量された重量値と前記商品１個当りの重量値とに基づいて商品の個数を算出し、前記値引情報に従って前記ラベルを発行することを特徴とする。
【００１５】
この発明によれば、まとめ買いする場合に値引情報が反映されたラベルが発行されるので、発行された１つのラベルを用いてレジにてまとめ買いの値引きをすることができる。
【００１６】
本発明はまた、上記商品販売システムにおいて、前記計量装置は、文字入力手段と、前記文字入力手段によって入力された文字を含む商品名の商品を検索する検索手段と、をさらに備え、前記検索された商品の商品選択関連情報を前記表示手段に表示することを特徴とする。
【００１７】
この発明によれば、客が端末操作の操作をしなかった場合でも、該当する商品の端末装置のところに戻ることなく、検索手段を利用して表示させた商品選択関連情報を用いて計量を行うことができる。
【００１８】
本発明はまた、上記商品販売システムにおいて、前記ラベル発行手段により発行されたラベルを客の操作によって読み取って商品登録を行う商品登録装置をさらに有することを特徴とする。
【００１９】
この発明によれば、計量された商品の商品登録を行なうことができる。商品登録装置は例えばセルフレジであり、セルフレジが導入された店舗において、生鮮食品などバラ売りされる商品についても、客自身が計量を行って商品登録を行うことができる。
【００２０】
本発明はまた、売り場に陳列された商品の種類毎に設けられ、操作されると該商品を指示する指示情報を送信する端末装置と、前記各商品の計量および商品登録を行う計量装置と、を有し、前記計量装置は、前記各商品に関する商品情報を記憶する記憶手段と、前記端末装置から送信される前記指示情報を受信する受信手段と、前記受信した指示情報により指示される商品の商品情報を選択するための商品選択関連情報を表示する表示手段と、載置された商品の重量を計量する計量手段と、客により指定された前記商品選択関連情報に従って前記記憶手段から商品情報を読み出し、該読み出した商品情報と前記計量された重量値とに基づいて商品登録を行う商品登録手段と、前記商品登録された１または複数の商品についてのレシートを発行するレシート発行手段と、商品毎に前記指示情報を受信した回数をカウンタ値として記憶し、該商品について前記ラベルが発行されると対応する前記カウンタ値を１減算し、カウンタ値が０になると前記表示手段から対応する前記商品選択関連情報を消去する制御手段と、を備えたことを特徴とする商品販売システムを提供する。
【００２１】
本発明はまた、商品の計量を行う計量装置であって、商品に関する商品情報を記憶する記憶手段と、売り場に陳列された商品の種類毎に設けられた端末装置から送信される商品を指示する指示情報を受信する受信手段と、前記受信した指示情報により指示される商品の商品情報を選択するための商品選択関連情報を表示する表示手段と、載置された商品の重量を計量する計量手段と、指定された前記商品選択関連情報に従って前記記憶手段から商品情報を読み出し、該読み出した商品情報と前記計量された重量値とを記録する記録手段と、商品毎に前記指示情報を受信した回数をカウンタ値として記憶し、該商品について前記記録がなされると対応する前記カウンタ値を１減算し、カウンタ値が０になると前記表示手段から対応する前記商品選択関連情報を消去する制御手段と、を備えたことを特徴とする計量装置を提供する。
【発明の効果】
【００２２】
本発明によれば、売り場に陳列された計量対象となる商品の種類が多くても計量の際に操作性良く商品の選択操作を行うことができる。
【発明を実施するための最良の形態】
【００２３】
以下、図面を参照しながら本発明の実施形態について詳しく説明する。
図１は、本発明の一実施形態による商品販売システムのシステム構成図である。この商品販売システムは、例えば野菜や果物などの生鮮食品を販売するスーパーマーケットに設けられる。スーパーマーケットの生鮮食品売り場では、図２に示すように、バラ売りされる野菜や果物などの商品４０−１〜４０−Ｎが種類毎に区分けされて、それぞれの陳列場所５０−１〜５０−Ｎに陳列されている。また、陳列場所毎に、当該陳列場所の商品に対応してタグ装置２０−１〜２０−Ｎ（端末装置）が設けられている。各商品は、バラ売りのため値段やバーコードを印字したラベルは貼付されておらず、客が商品を種類毎に必要なだけビニール袋に詰めて計量装置１０で計量することで、購入する分の商品のラベルが計量装置１０から発行される。そしてこの発行されたラベルを客が商品を詰めたビニール袋に貼り付け、その商品をＰＯＳ端末３２等で商品登録する。
【００２４】
各タグ装置２０は、タッチセンサ部（後述する図４参照）を備えており、このタッチセンサ部が客により操作（タッチ）されると、タグ装置２０は記憶しているＰＬＵ（Ｐｒｉｃｅ  Ｌｏｏｋ  Ｕｐ）コードを計量装置１０へ送信する。このＰＬＵコードは、商品の種類を識別する商品識別番号（指示情報）であり、当該タグ装置に対応付けられた商品を指示するものである。客は、購入しようとする商品をビニール袋に詰める際に、その商品に対応するタグ装置に対して上記タッチ操作を行う。こうして、計量装置１０で計量を行う商品のＰＬＵコードが、各タグ装置２０から計量装置１０へ送信される。なお、各タグ装置２０と計量装置１０とはＲＳ−２３２Ｃなどによるシリアル通信が可能に接続されている。
【００２５】
計量装置１０は、タグ装置２０から上記ＰＬＵコードを受信して、受信したＰＬＵコードに対応する商品のアイコン（商品選択関連情報）を液晶タッチパネルの画面上に表示する。受信したＰＬＵコードが複数であれば、それらを画面上に表示する。また、計量装置１０は、計量部（秤）に載置された商品の重量を計量するとともに、液晶タッチパネルで客に選択されたアイコンに対応する商品の単価などの商品データを記憶部（ＲＡＭ）から呼び出して、商品の値段を計算してラベルを発行する。
【００２６】
ＰＯＳ端末３２およびセルフＰＯＳ端末３３（商品登録装置）は、いわゆるレジであり、客が購入する商品（計量装置１０で計量する生鮮食品のほか、予めラベルが貼付されている商品も含む）の商品登録や代金精算などを行う。ＰＯＳ端末３２は店員が操作し、セルフＰＯＳ端末３３は客自らが操作する。商品のラベルには、ＰＬＵコード等の商品識別番号や、計量装置１０で発行されたラベルの場合には重量に応じた値段情報などが、バーコードの形式で印字されており、ＰＯＳ端末３２およびセルフＰＯＳ端末３３はこれらバーコードを読み取る読取装置を備えている。そして、ＰＯＳ端末３２およびセルフＰＯＳ端末３３は、読取装置で読み取ったバーコードの情報とメモリに記憶している商品売価などの情報に基づいて、商品の登録処理を行う。
【００２７】
ストアコントローラ３１は、スーパーマーケット内で各種データの管理を行うコンピュータであり、計量装置１０、ＰＯＳ端末３２、セルフＰＯＳ端末３３とＬＡＮ（Ｌｏｃａｌ  Ａｒｅａ  Ｎｅｔｗｏｒｋ）により接続されている。各種データとして、例えば、ＰＯＳ端末３２およびセルフＰＯＳ端末３３が記憶する商品売価等の情報を格納した商品ファイルや、計量装置１０が記憶する後述のＰＬＵファイル（図６参照）、またＰＯＳ端末３２およびセルフＰＯＳ端末３３から送信される実績ファイルなどがある。
【００２８】
図３は、計量装置１０の構成を示すブロック図である。計量装置１０は、ＣＰＵ１０１と、ＲＯＭ１０２と、ＲＡＭ１０３と、液晶タッチパネル１０４と、キー操作部１０５と、時計部１０６と、第１通信部１０７と、第２通信部１０８と、計量部１０９と、印字部１１０とを有し構成されている。
【００２９】
ＣＰＵ１０１は、計量装置１０の動作を制御する中央処理装置であり、ＲＯＭ１０２からプログラムを読み出して実行することで、そのプログラムに従った計量装置１０の動作を実現する。ＲＯＭ１０２は、読出し専用メモリであり、上記プログラムが格納されている。ＲＡＭ１０３は、随時書込み読出しメモリであり、後述するＰＬＵファイルやアイコンテーブル、その他一時データ等を記憶する。
【００３０】
液晶タッチパネル１０４は、計量装置１０を操作する客との間のユーザ入出力インタフェースであり、計量する対象の商品を選択するためのアイコンやその他各種情報を画面上に表示するとともに、表示されたアイコンに対する客からの選択入力を受け付ける。タグ装置１０から送信されて第２通信部１０８で受信されるＰＬＵコードによって、液晶タッチパネル１０４に表示するアイコンが決定される。液晶タッチパネル１０４の画面表示例については後述する（図８）。また、客が画面上から選択したアイコンに対応する商品のデータがＲＡＭ１０３のＰＬＵファイルから読み出されて、当該商品の値段が計算される。
【００３１】
キー操作部１０５は、液晶タッチパネル１０４で行う入力以外の入力を行うためのものである。
時計部１０６は、時刻情報を出力する。この時刻情報は、液晶タッチパネル１０４に表示するアイコンの表示期間を制御する。
【００３２】
第１通信部１０７は、ＬＡＮインタフェースであり、ストアコントローラ３１との通信を制御する。この第１通信部１０７を介して、ストアコントローラ３１からＰＬＵファイルが取得される。
第２通信部１０８は、シリアルインタフェースであり、各タグ装置２０との通信を制御する。各タグ装置２０から送信されるＰＬＵコードは、この第２通信部１０８によって受信される。
【００３３】
計量部１０９は、計量装置１０本体の上部に備えられた計量皿に載置された商品の重量を計量し、計量結果の重量値を出力する。
印字部１１０は、計量部１０９で計量された商品について、値段やバーコードを印字したラベルを発行する。このラベルには、計量部１０９から計量結果として出力される重量値とＲＡＭ１０３に格納されたＰＬＵファイル内の当該商品に関する商品情報（単価データなど）とに基づいて、印字が行われる。
【００３４】
図４は、タグ装置２０の構成を示すブロック図である。タグ装置２０は、ＣＰＵ２０１と、ＲＯＭ２０２と、ＲＡＭ２０３と、通信部２０４と、タッチセンサ部２０５と、報知用ランプ２０６と、報知用ブザー２０７とを有して構成されている。
【００３５】
ＣＰＵ２０１は、タグ装置２０の動作を制御する中央処理装置であり、ＲＯＭ２０２からプログラムを読み出して実行することで、そのプログラムに従ったタグ装置２０の動作を実現する。ＲＯＭ２０２は、読出し専用メモリであり、上記プログラムが格納されている。ＲＡＭ２０３は、随時書込み読出しメモリであり、当該タグ装置に対応付けられている商品（当該タグ装置が備えられた陳列場所に陳列されている商品）のＰＬＵコードを記憶している。
【００３６】
通信部２０４は、シリアルインタフェースであり、計量装置１０との通信を制御する。この通信部２０４を介して、ＲＡＭ２０３に記憶されているＰＬＵコードが計量装置１０へ送信される。
タッチセンサ部２０５は、客によって接触がなされたことを検知する。タッチセンサ部２０５が操作（接触）された場合、報知用ランプ２０６は所定時間点灯し、報知用ブザー２０７は所定時間鳴音する。
【００３７】
図５は、タグ装置２０の正面外観図である。
タグ装置２０は、客から見える側（正面）に、タッチセンサ部２０５と、報知用ランプ２０６と、商品情報掲示部２０８とを有するように構成されている。タッチセンサ部２０５には、「タッチしてください」という文字が描かれており、商品を取る際にこのタッチセンサ部２０５をタッチすることを客に対して促している。商品情報掲示部２０８には、当該タグ装置に対応付けられている商品の商品名や値段などの商品情報を印刷した、紙の商品案内が掲示される。この商品案内は、例えば、「りんご  １個１２０円  ５個で５００円」といったようなものであり、ＰＬＵファイルの内容と一致するように作成されている。なお、商品情報掲示部２０８は、液晶ディスプレイなどにより電子的に表示を行うように構成したり、その液晶ディスプレイにストアコントローラ３１等から受信した値段データを表示する電子棚札として構成したりすることが可能である。
【００３８】
図６は、ＰＬＵファイルの一例を示したものである。
ＰＬＵファイルは、計量装置１０での計量対象となる商品毎に、ＰＬＵコード、品名、単価、重量、まとめ買い金額、アイコン名、の各項目のデータを記憶したファイルであり、ストアコントローラ３１によって作成され、計量装置１０へ送信されてＲＡＭ１０３に記憶されている。
【００３９】
ここで、重量のデータは、商品１個当りの平均値として設定された値であり、計量装置１０で計量された重量値からその商品の個数を計算するために使用するデータである。よってこのデータは、例えばりんご等の個数売り商品にのみ設定されている。個数売りでない商品、例えば精肉などのグラム売り商品の場合は単価のデータ（グラム単価）のみを用いて値段が計算される。単価のデータは、個数売り商品については１個当りの金額、グラム売り商品については例えば１００グラム当りの金額が設定される。
【００４０】
図７は、計量装置１０のＲＡＭ１０３に作成されて記憶されるアイコンテーブルの一例を示したものである。アイコンテーブルには、ＰＬＵコード、アイコンカウンタ、時刻メモリ、の各項目のデータが記憶される。このアイコンテーブルは、計量装置１０が液晶タッチパネル１０４の画面上に表示する商品のアイコンを管理するために使用される。ここで、液晶タッチパネル１０４に同時に表示できるアイコンの数は限られており、その数をここでは１８とする（図８参照）。アイコンテーブルは、番号１から番号１８までのエントリを持つ。各番号は、液晶タッチパネル１０４の画面上のアイコンの表示位置を示す。
【００４１】
具体的に、計量装置１０は、タグ装置２０からＰＬＵコードを受信すると、そのＰＬＵコードがアイコンテーブルに存在するか判定し、存在しない場合、空いているエントリに当該ＰＬＵコードを新しく追加し、アイコンカウンタの数値を「１」に設定し、時刻メモリの値をその時の時刻に設定する。そして、そのエントリの番号に対応する表示位置に、商品のアイコンを表示する。例えば、図７のアイコンテーブルにおいて、番号１のＰＬＵコードはりんごのＰＬＵコードである「３２９１」が記憶されているから、液晶タッチパネル１０４の画面上には番号１の表示位置にりんごのアイコンが表示されることになる。
【００４２】
受信したＰＬＵコードがアイコンテーブルに存在する場合には、既にそのＰＬＵコードが存在している当該エントリのアイコンカウンタの数値を１つ増加させ、時刻メモリの値をその時の時刻に設定する。そして、この場合は、その商品のアイコンは既に表示されているので画面上の表示は変更しない。こうして、同じ商品のＰＬＵコードが受信される毎に、アイコンカウンタの数値が１ずつ増加していく。
【００４３】
また、計量装置１０は、液晶タッチパネル１０４の画面上に表示したアイコンが客によって選択され、対応する商品の計量が実行されてラベルを発行すると、アイコンテーブルにおけるその商品のＰＬＵコードのエントリについて、アイコンカウンタの数値を１つ減少させる。そして、その結果アイコンカウンタの数値が「０」になった場合は、そのエントリをアイコンテーブルから削除するとともに、画面上から当該商品のアイコンを消去する。アイコンカウンタの数値が「０」でない場合、エントリの削除とアイコンの消去は行わない。
【００４４】
このように、アイコンカウンタは、その商品についてまだ計量が済んでいない客の数を表しており、このアイコンカウンタが「０」になるまでは液晶タッチパネル１０４の画面上に当該商品のアイコンが表示され続ける。
【００４５】
図８は、液晶タッチパネル１０４の画面レイアウトの一例を示したものである。液晶タッチパネル１０４の画面上には、選択商品表示エリア１０４１と、アイコン表示エリア１０４２と、検索エリア１０４３と、ソフトキー表示エリア１０４４と、印刷キー１０４５とが設けられる。
【００４６】
アイコン表示エリア１０４２には、アイコンテーブルにエントリされた商品のアイコンが表示される。客はアイコン表示エリア１０４２に表示されている商品のアイコンから、自分の購入しようとしている商品のアイコンをタッチして、その商品の計量を行う。計量後に印刷キー１０４５をタッチすると、計量装置１０は計量結果に従ってラベルを発行する。
【００４７】
選択商品表示エリア１０４１には、アイコン表示エリア１０４２のアイコンのうち客によって選択されたアイコンに対応する商品の商品情報（ＰＬＵファイルから呼び出されたＰＬＵコード、品名、アイコン（アイコン画像）、単価、まとめ買い金額の各データ）と、商品の個数と、商品の値段と、が表示される。商品の個数は、計量装置１０で計量された結果の重量値をＰＬＵファイルの重量値で除算することにより算出される。商品の値段は、上記算出された商品の個数（個数売り商品の場合）、または計量結果の重量値（グラム売り商品の場合）に、ＰＬＵファイルの単価を乗算することにより算出される。なお、まとめ買いの場合、ＰＬＵファイルのまとめ買い金額が適用されて、商品の値段が算出される。
【００４８】
検索エリア１０４３には、商品名を検索する入力欄と、ＰＬＵコードを検索する入力欄とが設けられる。また、ソフトキー表示エリア１０４４には、五十音のかな入力キーと数字入力キーとが表示される。このかな入力キーや数字入力キーを用いて検索エリア１０４３の入力欄に商品名の一部やＰＬＵコードを入力することで、該当する商品のアイコンの候補を検索して呼び出し、アイコン表示エリア１０４２に表示させることもできる。この機能は、客がタグ装置２０のタッチセンサ部２０５を操作し忘れた場合に利用する。
【００４９】
図９は、タグ装置２０の動作を示すフローチャートである。
タグ装置２０は、ステップＳ１０１において、タッチセンサ部２０５が客によりタッチされたか否かを判定する。タッチセンサ部２０５がタッチされたと判定された場合、タグ装置２０は、ステップＳ１０２において、ＲＡＭ２０３に記憶しているＰＬＵコード、すなわち当該タグ装置２０に対応付けられている商品のＰＬＵコードを計量装置１０へ送信する。またタグ装置２０は、ステップＳ１０３において報知用ランプ２０６および報知用ブザー２０７を作動させ、所定時間経過したか否かをステップＳ１０４において判定し、所定時間が経過したらステップＳ１０５において報知用ランプ２０６および報知用ブザー２０７の作動を停止させる。
【００５０】
図１０は、計量装置１０の動作を示すフローチャートである。
計量装置１０は、ステップＳ２０１において、タグ装置２０から送信されるＰＬＵコードを受信したか否かを判定する。ＰＬＵコードを受信した場合、計量装置１０は、ステップＳ２０２において、受信したＰＬＵコードがアイコンテーブルに存在するか否か判定した上で、存在しなければ、アイコンテーブルに当該ＰＬＵコードのエントリを追加するとともにＰＬＵファイルから当該ＰＬＵコードの商品のアイコン名を読み出し、読み出したアイコン名のアイコンを液晶タッチパネル１０４のアイコン表示エリア１０４２に表示する。受信したＰＬＵコードがアイコンテーブルに既に存在するときは、アイコンテーブルへのエントリの追加は行わずに、また当該商品のアイコンは液晶タッチパネル１０４に既に表示されているのでその表示は変更せずに、次へ進む。
【００５１】
計量装置１０は、続いてステップＳ２０３において、アイコンテーブルの上記受信したＰＬＵコードに対応するエントリのアイコンカウンタを１だけ増加させる。また、ステップＳ２０４において、当該エントリの時刻メモリに時計部１０６から出力される時刻情報に従って現在時刻（ＰＬＵコードを受信した時刻）を記録する。
【００５２】
計量装置１０はタグ装置２０（商品種類毎に設けられた各タグ装置）からＰＬＵコードを受信する度に、上記ステップＳ２０１からステップＳ２０４の処理を繰り返す。これにより、液晶タッチパネル１０４のアイコン表示エリア１０４２に客が購入しようとしている商品のアイコンが全て表示されるとともに、アイコンテーブルにそれらアイコンに対応するエントリが設けられてアイコンテーブルが更新されていく。
【００５３】
上記ステップＳ２０１で次のＰＬＵコードが受信されない場合、計量装置１０は、ステップＳ２０５において、液晶タッチパネル１０４のアイコン表示エリア１０４２に表示されているアイコンが操作（タッチ）されたか否かを判定する。アイコンがタッチされた場合、ステップＳ２０６において計量装置１０は、アイコン表示エリア１０４２の当該タッチされた表示位置に基づいてアイコンテーブルからＰＬＵコード（操作されたアイコンに対応する商品のＰＬＵコード）を特定し、さらに、特定したＰＬＵコードに基づいて、ＰＬＵファイルの当該ＰＬＵコードのエントリから品名、単価、重量、まとめ買い金額、の各データを読み出す。
【００５４】
次いで、計量装置１０は、ステップＳ２０７において、上記読み出した各データを液晶タッチパネル１０４の選択商品表示エリア１０４１に表示する。その後、計量部１０９に商品が載置されると、計量装置１０はステップＳ２０８において、載置された商品の重量を計量する。
【００５５】
そしてステップＳ２０９において、計量装置１０は、個数売り商品の場合、すなわち上記ステップＳ２０６で読み出した重量データに値が設定されている場合、計量部１０９による計量結果の重量値を重量データの数値で除算し、その結果を上記ステップＳ２０８で計量された商品の個数として液晶タッチパネル１０４の選択商品表示エリア１０４１に表示する。また、グラム売り商品の場合、すなわち上記ステップＳ２０６で読み出した重量データに値が設定されていない場合、計量部１０９による計量結果の重量値を液晶タッチパネル１０４の選択商品表示エリア１０４１に表示する。さらに、計量装置１０は、商品の個数または計量結果の重量値と上記ステップＳ２０６で読み出した単価とを乗算して、その結果を商品の値段として液晶タッチパネル１０４の選択商品表示エリア１０４１に表示する。
【００５６】
次に計量装置１０は、ステップＳ２１０において、液晶タッチパネル１０４の印刷キー１０４５が操作されたか否かを判定する。印刷キー１０４５が操作されると、計量装置１０は、ステップＳ２１１において、上記計量・値段算出した商品のラベルを印字し発行する。このラベルには、ＰＬＵコードと算出した値段のバーコード、および品名と当該値段の文字情報などが印字される。
【００５７】
ラベルの発行後、計量装置１０はステップＳ２１２において、アイコンテーブルの上記ステップＳ２０６で特定されたＰＬＵコード（ラベル発行した商品のＰＬＵコード）に対応するエントリのアイコンカウンタを１だけ減少させる。続いて計量装置１０は、ステップＳ２１３において、当該アイコンカウンタが０になったか否かを判定する。アイコンカウンタが０になった場合、計量装置１０は、ステップＳ２１４において液晶タッチパネル１０４のアイコン表示エリア１０４２から対応するアイコンを消去し、ステップＳ２１５においてアイコンテーブルから対応するエントリを削除する。
【００５８】
ステップＳ２０５でアイコンがタッチされなかった場合、計量装置１０は、ステップＳ２１６において、液晶タッチパネル１０４の検索エリア１０４３のＰＬＵコード検索用の入力欄に入力が行われて検索キーが操作（タッチ）されたか否かを判定する。ここでＰＬＵコードが入力された場合は、ステップＳ２０６へ進んで入力されたＰＬＵコードに対応するデータをＰＬＵファイルから読み出す。
【００５９】
ＰＬＵコードが入力されなかった場合、計量装置１０はステップＳ２１７において、アイコンテーブルの各エントリについて時刻メモリに記録されている時刻と現在時刻とを比較して、時刻メモリの時刻から所定時間（例えば１５分）以上経過しているか否かを判定する。そして、この判定により所定時間経過しているとされたＰＬＵコードのアイコンについては、タイムアウトが生じたものとして、ステップＳ２１４およびステップＳ２１５へ進んで処理を行う。これにより、タグ装置１０に対する客の誤操作などによって液晶タッチパネル１０４に表示されてしまった不要なアイコンは、所定時間経過後に消去され、必要なアイコンのみが表示されるようになる。
【００６０】
またタイムアウトしたアイコンがない場合、計量装置１０は、ステップＳ２１８において、液晶タッチパネル１０４の検索エリア１０４３の商品名検索用の入力欄に入力が行われて検索キーが操作（タッチ）されたか否かを判定する。商品名の入力が行われた場合には、計量装置１０は、ステップＳ２１９において当該入力された文字を含む商品をＰＬＵファイルから検索する。そして、計量装置１０は、ステップＳ２２０において、検索された全て（但し、アイコンテーブルの空きエントリの数を限度とする）の商品のアイコンを液晶タッチパネル１０４のアイコン表示エリア１０４２に表示するとともに、ステップＳ２２１において、アイコンテーブルにそれらアイコンのエントリを追加する。この時、アイコンテーブルの時刻メモリには現在時刻を記録し、アイコンカウンタは値を０に設定する。アイコンカウンタが０であるので、上記ステップＳ２２０で液晶タッチパネル１０４のアイコン表示エリア１０４２に表示されたアイコンは、それが間違った検索結果である場合には所定時間経過後に消去（ステップＳ２１４）されることになる。
【００６１】
計量装置１０はまた、ステップＳ２２２において、その他の処理、例えば各種ファイルの設定やメンテナンス処理を行う。
【００６２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６３】
例えば、精肉店等において、商品を陳列するショーケース内に商品毎にタグ装置２０を設け、そのタグ装置を店員が操作してアイコンをショーケース上のタッチパネル付き計量装置に表示してラベルあるいはレシートを発行できる、ハイタッチＰＬＵと呼ばれるシステムに本発明を適用することもできる。
【００６４】
また、タグ装置２０と計量装置１０とは、ストアコントローラ３１を経由して通信を行うようにしてもよい。また、通信方式は有線に限らず、光や無線、電波などを用いてもよい。
【００６５】
また、ステップＳ２２１においてアイコンカウンタを０にする代わりに、所定のフラグを立てるようにしてもよく、商品名を検索することにより表示したアイコンと、タグ装置２０からＰＬＵコードを受信することにより表示したアイコンとが区別できるようになっていればよい。
【００６６】
また、計量装置１０に設けたプリセットキーとしてのキー操作部１０５により、ＰＬＵファイルから商品のデータを読み出すようにしてもよい。
【００６７】
また、個数売り商品とグラム売り商品とを、ＰＬＵファイルの重量のデータの有無ではなく、所定のフラグによって区別するようにしてもよい。
【００６８】
また、計量装置１０が発行するラベルは、商品毎に印字・発行するのが好ましいが、ステップＳ２０５からステップＳ２１０の処理を商品の数だけ繰り返し、購入する全商品について１枚のラベルあるいはレシートを発行するようにしてもよい。レシートとして発行する場合、計量装置１０は、上記ステップにおいて商品登録の処理も行って、その結果を印字したレシートを発行する。
【００６９】
また、計量結果はラベルやレシート等に記録することに限らず、客毎に、ＰＯＳレジスタやストアコントローラに送信して、あるいは客が持参したカード等に記憶させて、それらを客毎に呼び出して精算できるものであればよい。
【００７０】
また、アイコンテーブルのアイコン数を増やして、その数を液晶タッチパネルのアイコン表示エリアに表示できるアイコン数よりも多くした場合には、アイコン表示エリアを複数切り換えるようにするとよい。その場合、計量装置に切り換えのための操作キーを設ければよい。
また、タグ装置から計量装置へ送信するデータは、ＰＬＵコードに限らず、商品を特定できるデータであれば構わない。
【図面の簡単な説明】
【００７１】
【図１】本発明の一実施形態による商品販売システムのシステム構成図である。
【図２】図１の商品販売システムを用いるスーパーマーケットにおける生鮮食品売り場の配置図である。
【図３】計量装置の構成を示すブロック図である。
【図４】タグ装置の構成を示すブロック図である。
【図５】タグ装置の正面外観図である。
【図６】ＰＬＵファイルの一例である。
【図７】アイコンテーブルの一例である。
【図８】液晶タッチパネルの画面レイアウトの一例である。
【図９】タグ装置の動作を示すフローチャートである。
【図１０】計量装置の動作を示すフローチャートである。
【符号の説明】
【００７２】
１０…計量装置  ２０…タグ装置  ３１…ストアコントローラ  ３２…ＰＯＳ端末  ３３…セルフＰＯＳ端末  １０１…ＣＰＵ  １０２…ＲＯＭ  １０３…ＲＡＭ  １０４…液晶タッチパネル  １０５…キー操作部  １０６…時計部  １０７…第１通信部  １０８…第２通信部  １０９…計量部  １１０…印字部  ２０１…ＣＰＵ  ２０２…ＲＯＭ  ２０３…ＲＡＭ  ２０４…通信部  ２０５…タッチセンサ部  ２０６…報知用ランプ  ２０７…報知用ブザー
【図１】
2008197802.tif 000003
【図２】
2008197802.tif 000004
【図３】
2008197802.tif 000005
【図４】
2008197802.tif 000006
【図５】
2008197802.tif 000007
【図６】
2008197802.tif 000008
【図７】
2008197802.tif 000009
【図８】
2008197802.tif 000010
【図９】
2008197802.tif 000011
【図１０】
2008197802.tif 000012